(57)【特許請求の範囲】
【請求項１】
デジタル放送の電波を検波して、その電波からデジタルデータを復調する受信手段と、上記受信手段により復調されたデジタルデータを映像と音声にデコードするデコード手段と、上記受信手段により復調されたデジタルデータをネットワークに出力する一方、そのネットワークから復調後のデジタルデータを入力する伝送手段と、上記受信手段により復調されたデジタルデータの出力先として、上記デコード手段又は伝送手段の何れかを選択する一方、上記デコード手段に対するデジタルデータの入力先として、上記受信手段又は伝送手段の何れかを選択する選択手段とを備えたデジタル放送受信装置において、そのネットワークに接続されている全ての受信手段の使用状況を管理する管理手段と、上記管理手段に対して他の受信手段の使用状況を問い合わせて、他の受信手段が未使用中である場合に限り、デジタルデータの入力先として伝送手段を選択することを上記選択手段に対して許可する制御手段とを設け、そのネットワークに複数の管理手段が接続されている場合、各管理手段が自己の管理能力と他の管理手段の管理能力を比較し、自己の管理能力が他の管理手段の管理能力を上回る場合に限り、自己の管理機能を有効にすることを特徴とするデジタル放送受信装置。
【請求項２】
ネットワークに接続される全受信手段は、デジタルデータを復調する際、トランスポートストリームが同形式のデジタルデータに復調することを特徴とする請求項１記載のデジタル放送受信装置。
【発明の詳細な説明】
【０００１】
【発明の属する技術分野】
この発明は、例えば、ネットワークに接続されるテレビが衛星放送用のチューナを有していない場合でも、衛星放送を受信することができるデジタル放送受信装置に関するものである。
【０００２】
【従来の技術】
図１１は特開平８−７９６４１号公報に示された従来のデジタル放送受信装置を示す構成図であり、図において、１は地上波アンテナ、２は地上波放送の電波を検波して、その電波からデジタルデータを復調するデジタル放送受信モジュール、３はＣＡＴＶなどの同軸ケーブル、４はケーブルＴＶの電波を検波して、その電波からデジタルデータを復調するデジタルケーブルモジュール、５はデジタル放送受信モジュール２又はデジタルケーブルモジュール４により復調されたデジタルデータをパケットに分解して、映像と音声にデコードするデパケット処理モジュール、６はデパケット処理モジュール５によりデコードされた映像を表示するＭＰＥＧビデオモジュール、７はデパケット処理モジュール５によりデコードされた音声を出力するＭＰＥＧオーディオモジュール、８は各モジュール２，４〜７を接続するバスである。
【０００３】
次に動作について説明する。
ユーザが地上波放送の受信を希望する場合、デジタル放送受信モジュール２が地上波アンテナ１により受信された地上波放送の電波を検波して、その電波からデジタルデータを復調し、デパケット処理モジュール５がデジタル放送受信モジュール２により復調されたデジタルデータをパケットに分解して、映像と音声にデコードする。
そして、ＭＰＥＧビデオモジュール６がデパケット処理モジュール５によりデコードされた映像を表示し、ＭＰＥＧオーディオモジュール７がデパケット処理モジュール５によりデコードされた音声を出力する。
【０００４】
一方、ユーザがケーブルＴＶの受信を希望する場合、デジタルケーブルモジュール４が同軸ケーブル３を通じて伝送されたケーブルＴＶの電波を検波して、その電波からデジタルデータを復調し、デパケット処理モジュール５がデジタルケーブルモジュール４により復調されたデジタルデータをパケットに分解して、映像と音声にデコードする。
そして、ＭＰＥＧビデオモジュール６がデパケット処理モジュール５によりデコードされた映像を表示し、ＭＰＥＧオーディオモジュール７がデパケット処理モジュール５によりデコードされた音声を出力する。
【０００５】
【発明が解決しようとする課題】
従来のデジタル放送受信装置は以上のように構成されているので、地上波放送又はケーブルＴＶの何れかを選択して好みの番組を視聴することができるが、衛星放送を受信できる他のデジタル放送受信装置と連係することができないため、当該デジタル放送受信装置では衛星放送を受信することができない。従って、地上波放送，衛星放送及びケーブルＴＶの全ての番組を視聴する必要がある場合には、全ての放送を受信できる高価なチューナを搭載するテレビジョンを購入する必要がある課題があった。
特に、複数のテレビジョンを所有する場合において、全テレビジョンで地上波放送，衛星放送及びケーブルＴＶの全ての番組を視聴する必要がある場合、全テレビジョンを高価なテレビジョンで揃える必要があり、経済的な負担が極めて大きくなる課題があった。
【０００６】
この発明は上記のような課題を解決するためになされたもので、各テレビジョン毎に地上波放送のチューナと、衛星放送のチューナと、ケーブルＴＶのチューナとを搭載していなくても、所有する全テレビジョンで地上波放送，衛星放送及びケーブルＴＶの全ての番組を視聴することができるデジタル放送受信装置を得ることを目的とする。
【０００７】
【課題を解決するための手段】
この発明に係るデジタル放送受信装置は、ネットワークに接続されている全ての受信手段の使用状況を管理する管理手段と、その管理手段に対して他の受信手段の使用状況を問い合わせて、他の受信手段が未使用中である場合に限り、デジタルデータの入力先として伝送手段を選択することを選択手段に対して許可する制御手段とを設け、そのネットワークに複数の管理手段が接続されている場合、各管理手段が自己の管理能力と他の管理手段の管理能力を比較し、自己の管理能力が他の管理手段の管理能力を上回る場合に限り、自己の管理機能を有効にするようにしたものである。
【００１３】
この発明に係るデジタル放送受信装置は、復調するデジタルデータのトランスポートストリームの形式が同形式の受信手段のみをネットワークに接続するようにしたものである。
【００１４】
【発明の実施の形態】
以下、この発明の実施の一形態を説明する。
実施の形態１．
図１はこの発明の実施の形態１によるデジタル放送受信装置を示す構成図であり、図において、１１は地上波アンテナ、１２は地上波放送の電波を検波して、その電波からデジタルデータを復調する地上波チューナ部、１３は地上波チューナ部１２により復調されたデジタルデータをパケットに分解して、映像と音声にデコードするデコーダ部、１４はデコーダ部１３によりデコードされた映像を表示するとともに、音声を出力するテレビである。
【００１５】
１５は衛星アンテナ、１６は衛星放送の電波を検波して、その電波からデジタルデータを復調する衛星チューナ部、１７は衛星チューナ部１６により復調されたデジタルデータをパケットに分解して、映像と音声にデコードするデコーダ部、１８はデコーダ部１７によりデコードされた映像を表示するとともに、音声を出力するテレビである。
【００１６】
１９はＣＡＴＶなどの同軸ケーブル、２０はケーブルＴＶの電波を検波して、その電波からデジタルデータを復調するケーブルチューナ部、２１はケーブルチューナ部２０により復調されたデジタルデータをパケットに分解して、映像と音声にデコードするデコーダ部、２２はデコーダ部２１によりデコードされた映像を表示するとともに、音声を出力するテレビ、２３は地上波チューナ部１２，衛星チューナ部１６及びケーブルチューナ部２０を相互に接続するネットワークであり、例えば、ホームネットワークとして存在している規格であるＩＥＥＥ１３９４に準拠したネットワークである。
【００１７】
図２は地上波チューナ部１２，衛星チューナ部１６及びケーブルチューナ部２０に共通する部分を示す構成図であり、図において、３１は外部アンテナ（図２では地上波アンテナ１１，衛星アンテナ１５又は同軸ケーブル１９を総称して外部アンテナという）、３２は外部アンテナ３１により受信された電波を検波するチューナ回路（受信手段）、３３はチューナ回路３２により検波された電波からデジタルデータを復調するデジタル復調回路（受信手段）、３４はデジタル復調回路３３により復調されたデジタルデータの出力先をデコーダ回路３８又はネットワークインタフェース３５の何れかに選択する送信切替回路（選択手段）である。
【００１８】
３５は送信切替回路３４からデジタル復調回路３３により復調されたデジタルデータを受けると、そのデジタルデータをネットワーク３６に出力して、他のチューナ部に送信する一方、他のチューナ部から送信された復調後のデジタルデータをネットワーク３６より入力するネットワークインタフェース（伝送手段）、３６はネットワーク（図１のネットワーク２３に相当する）、３７はデコーダ回路３８に対するデジタルデータの入力先をデジタル復調回路３３又はネットワークインタフェース３５の何れかに選択する受信切替回路（選択手段）、３８は受信切替回路３７から出力されたデジタルデータをパケットに分解して、映像と音声にデコードするデコーダ回路（デコード手段）であり、デコーダ回路３８は図１のデコーダ部１３，１７，２１に相当する。３９は他のチューナ部の使用状況等に応じて送信切替回路３４及び受信切替回路３７を制御する制御回路（制御手段）、４０はテレビジョン（図１のテレビ１４，１８，２２に相当する）である。
【００１９】
図３は送信切替回路３４及び受信切替回路３７の具体的構成を示す構成図であり、図において、３４ａは送信切替回路３４の切替スイッチ、Ａ，Ｂは接点、３７ａは受信切替回路３７の切替スイッチ、Ｃ，Ｄは接点である。
【００２０】
図４は制御回路３９の具体的構成を示す構成図であり、図において、４１は他のチューナ部の制御回路３９に対してチューナ回路３２の使用状況を問い合わせるチューナ使用状況問い合わせ要求手段、４２はチューナ使用状況問い合わせ要求手段４１の指示の下、チューナ回路３２の使用状況を示すデータの送信要求をネットワーク３６に出力するネットワーク送信手段である。
【００２１】
４３はネットワーク３６からチューナ回路３２の使用状況を示すデータの送信要求を受信するネットワーク受信手段、４４はネットワーク受信手段４３により受信された受信内容を解析する問い合わせ要求解析手段、４５はネットワーク受信手段４３により受信された受信内容が使用状況を示すデータの送信要求である場合、チューナ回路３２の使用状況を判断するチューナ使用状況判断手段、４６はチューナ使用状況判断手段４５の指示の下、チューナ回路３２の使用状況を示すデータを出力するチューナ使用状況応答手段、４７はチューナ使用状況応答手段４６が出力するデータをネットワーク３６に出力して、データの送信要求元であるチューナ部に送信するネットワーク送信手段である。
【００２２】
４８は他のチューナ部のネットワーク送信手段４７から送信されたデータに基づいて他のチューナ部におけるチューナ回路３２の使用状況を解析するチューナ使用状況応答解析手段、４９はチューナ使用状況応答解析手段４８の解析結果にしたがって送信切替回路３４の切替スイッチ３４ａ及び受信切替回路３７の切替スイッチ３７ａを制御するネットワーク接続手段である。
なお、図５及び図６はこの発明の実施の形態１によるデジタル放送受信装置の動作を示すフローチャートである。
【００２３】
次に動作について説明する。
まず、ユーザがテレビ１４で番組を視聴する場合において、ユーザが番組を選択すると（ステップＳＴ１）、テレビ１４に内蔵されているＣＰＵは、その番組が地上波放送の番組であるのか、衛星放送の番組であるのか、あるいは、ケーブルＴＶの番組であるのかを判定する（ステップＳＴ２）。
【００２４】
テレビ１４に内蔵されているＣＰＵは、例えば、地上波放送の番組が選択された場合、テレビ１４の受信装置には地上波放送を受信できるチューナ部が搭載されているか否かを判定する（ステップＳＴ３）。図１の例では、テレビ１４の受信装置には地上波チューナ部１２が搭載され、衛星チューナ部１６及びケーブルチューナ部２０が搭載されていない。
【００２５】
図１の例では、テレビ１４の受信装置には地上波チューナ部１２が搭載されているので、テレビ１４に内蔵されているＣＰＵは、地上波チューナ部１２の制御回路３９に対して、地上波チューナ部１２のチューナ回路３２からの地上波放送の受信開始を指示する（ステップＳＴ１１）。
【００２６】
地上波チューナ部１２の制御回路３９は、テレビ１４に内蔵されているＣＰＵから受信開始の指示を受けると、送信切替回路３４の切替スイッチ３４ａを接点Ａ側に切り替えるとともに、受信切替回路３７の切替スイッチ３７ａを接点Ｃ側に切り替える制御を実施する（ステップＳＴ１２）。
【００２７】
これにより、チューナ回路３２が地上波アンテナ１１である外部アンテナ３１により受信された電波を検波して、デジタル復調回路３３がチューナ回路３２により検波された電波からデジタルデータを復調すると（当該デジタルデータは、一般に、ＭＰＥＧトランスポートストリームと呼ばれる１８８バイト単位に区切られたデータである）、そのデジタルデータは送信切替回路３４及び受信切替回路３７を通過してデコーダ回路３８、即ち、デコーダ部１３に出力される。
そして、そのデジタルデータがデコーダ部１３により映像と音声にデコードされてテレビ１４に出力されることにより、ユーザはテレビ１４において、地上波放送の番組を視聴することができるようになる。
【００２８】
なお、ユーザがテレビ１８で衛星放送の番組を視聴する場合（テレビ１８の受信装置には衛星チューナ部１６が搭載されている）及びテレビ２２でケーブルＴＶの番組を視聴する場合（テレビ２２の受信装置にはケーブルチューナ部２０が搭載されている）の動作は、テレビ１４で地上波放送の番組を視聴する場合の動作と同様であるため説明を省略する。
【００２９】
次に、ユーザがテレビ１４で番組を視聴する場合において、ユーザが衛星放送の番組又はケーブルＴＶの番組を選択すると（ここでは、説明の便宜上、衛星放送の番組を選択したものとする）、図１の例では、テレビ１４の受信装置には衛星放送を受信できるチューナ部が搭載されていないので、テレビ１４に内蔵されているＣＰＵは、ネットワーク２３に衛星放送を受信できるチューナ部が接続されているか否かを判定する（ステップＳＴ４）。図１の例では、ネットワーク２３に衛星チューナ部１６が接続されている。
【００３０】
図１の例では、ネットワーク２３に衛星チューナ部１６が接続されているので、テレビ１４に内蔵されているＣＰＵは、地上波チューナ部１２の制御回路３９に対して、ネットワーク２３経由で衛星チューナ部１６のチューナ回路３２からの衛星放送の受信開始を指示する（ステップＳＴ２１）。
なお、ネットワーク２３に衛星チューナ部１６が接続されていない場合には、衛星放送を受信することができないので、処理を終了する。
【００３１】
地上波チューナ部１２の制御回路３９におけるチューナ使用状況問い合わせ要求手段４１は、テレビ１４に内蔵されているＣＰＵからネットワーク２３経由での受信開始の指示を受けると、衛星チューナ部１６の制御回路３９に対して、衛星チューナ部１６におけるチューナ回路３２の使用状況を問い合わせるため、ネットワーク送信手段４２からチューナ回路３２の使用状況を示すデータの送信要求をネットワーク３６（ネットワーク２３）に出力させる。
【００３２】
衛星チューナ部１６の制御回路３９におけるネットワーク受信手段４３が、ネットワーク３６からチューナ回路３２の使用状況を示すデータの送信要求を受信すると、問い合わせ要求解析手段４４がネットワーク受信手段４３の受信内容を解析し、その受信内容が使用状況を示すデータの送信要求である場合、チューナ使用状況判断手段４５の指示の下、衛星チューナ部１６におけるチューナ回路３２の使用状況を示すデータをチューナ使用状況応答手段４６から出力させる。
そして、ネットワーク送信手段４７がチューナ使用状況応答手段４６から出力されたチューナ回路３２の使用状況を示すデータをネットワーク３６に出力して、データの送信要求元である地上波チューナ部１２に送信する。
【００３３】
地上波チューナ部１２の制御回路３９におけるチューナ使用状況応答解析手段４８は、衛星チューナ部１６の制御回路３９からチューナ回路３２の使用状況を示すデータを受信すると、そのデータに基づいて衛星チューナ部１６におけるチューナ回路３２の使用状況を解析する。
制御回路３９のネットワーク接続手段４９は、衛星チューナ部１６のチューナ回路３２が未使用中である場合には、そのチューナ回路３２から衛星放送を受信することが可能であるため、受信切替回路３７の切替スイッチ３７ａを接点Ｄ側に切り替える制御を実施する。
【００３４】
そして、地上波チューナ部１２の制御回路３９は、受信切替回路３７の切替制御が完了すると、衛星放送の送信開始要求を衛星チューナ部１６の制御回路３９に出力する。
衛星チューナ部１６の制御回路３９におけるネットワーク接続手段４９は、地上波チューナ部１２の制御回路３９から衛星放送の送信開始要求を受けると、送信切替回路３４の切替スイッチ３４ａを接点Ｂ側に切り替えることにより、ネットワークインタフェース３５から衛星チューナ部１６のデジタル復調回路３３により復調された衛星放送のデジタルデータをネットワーク３６に出力する（ステップＳＴ２２）。
【００３５】
そして、地上波チューナ部１２のネットワークインタフェース３５がネットワーク３６から衛星放送のデジタルデータを受信すると（当該デジタルデータは、一般に、ＭＰＥＧトランスポートストリームと呼ばれる１８８バイト単位に区切られたデータである）、そのデジタルデータは受信切替回路３７を通過してデコーダ回路３８、即ち、デコーダ部１３に出力される（ステップＳＴ２３）。
そして、そのデジタルデータがデコーダ部１３により映像と音声にデコードされてテレビ１４に出力されることにより、ユーザはテレビ１４において、衛星放送の番組を視聴することができるようになる。
【００３６】
なお、ユーザがテレビ１４でケーブルＴＶの番組を視聴する場合、テレビ１８で地上波放送又はケーブルＴＶの番組を視聴する場合及びテレビ２２で地上波放送又は衛星放送の番組を視聴する場合の動作は、テレビ１４で衛星放送の番組を視聴する場合の動作と同様であるため説明を省略する。
【００３７】
以上のように、この実施の形態１によれば、デジタル復調回路３３により復調されたデジタルデータの出力先をデコーダ回路３８又はネットワークインタフェース３５の何れかに選択する一方、デコーダ回路３８に対するデジタルデータの入力先をデジタル復調回路３３又はネットワークインタフェース３５の何れかに選択する送信切替回路３４及び受信切替回路３７を設けるように構成したので、各テレビジョン毎に地上波放送のチューナと、衛星放送のチューナと、ケーブルＴＶのチューナとを搭載していなくても、所有する全テレビジョンで地上波放送，衛星放送及びケーブルＴＶの全ての番組を視聴することができる効果が得られる。
【００３８】
実施の形態２．
上記実施の形態１では、地上波チューナ部１２，衛星チューナ部１６及びケーブルチューナ部２０の全てが他のチューナ部に対するデジタルデータの送受信機能を有しているものについて示したが、例えば、ケーブルチューナ部２０にのみ送信機能と受信機能の双方を搭載し、衛星チューナ部１６にはデジタルデータの受信機能のみを搭載し（図７を参照）、地上波チューナ部１２にはデジタルデータの送信機能のみを搭載するようにしてもよい（図８を参照）。
【００３９】
以上のように、この実施の形態２によれば、テレビ１４では地上波放送以外の衛星放送やケーブルＴＶの番組を視聴することができないが、テレビ１８，２２では地上波放送，衛星放送及びケーブルＴＶの全ての番組を視聴することができるので、必ずしも全テレビで全ての番組を視聴する必要がない場合には、送信切替回路３４及び受信切替回路３７の台数を制限できる分、コストを低減することができる効果が得られる。
【００４０】
実施の形態３．
図９はこの発明の実施の形態３によるデジタル放送受信装置を示す構成図であり、図において、図１と同一符号は同一または相当部分を示すので説明を省略する。
５１はネットワーク２３に接続されている全チューナ部におけるチューナ回路３２の使用状況を管理するチューナ状況一括管理機構（管理手段）である。
【００４１】
次に動作について説明する。
上記実施の形態１では、各チューナ部の制御回路３９が他のチューナ部におけるチューナ回路３２の使用状況を判定する際、他のチューナ部の制御回路３９に対して直接チューナ回路３２の使用状況を確認するものについて示したが、チューナ状況一括管理機構５１が全チューナ部のチューナ回路３２の使用状況を周期的に確認して、その使用状況を管理テーブルに記憶するようにし、各チューナ部の制御回路３９が他のチューナ部におけるチューナ回路３２の使用状況を判定する際、その管理テーブルを参照して使用状況を確認するようにしてもよい。
【００４２】
以上のように、この実施の形態３によれば、各チューナ部の制御回路３９は、他のチューナ部からデジタルデータを受信する際、他のチューナ部の制御回路３９と情報通信することなく、管理テーブルを参照するだけで使用状況を確認することができるので、速やかに他のチューナ部からデジタルデータを受信することが可能な状況にあるのか否かを判断することができる効果が得られる。
【００４３】
実施の形態４．
図１０はこの発明の実施の形態４によるデジタル放送受信装置を示す構成図であり、図において、図９と同一符号は同一または相当部分を示すので説明を省略する。
５２はネットワーク２３に複数のチューナ状況一括管理機構５１が接続されている場合、自己のチューナ状況一括管理機構５１の管理能力と他のチューナ状況一括管理機構５１の管理能力を比較し、自己のチューナ状況一括管理機構５１の管理能力が他のチューナ状況一括管理機構５１の管理能力を上回る場合に限り、自己のチューナ状況一括管理機構５１の管理機能を有効にする管理機能決定部（管理手段）である。
【００４４】
次に動作について説明する。
チューナ状況一括管理機構５１が各チューナ部にそれぞれ接続されている場合、各管理機能決定部５２は、例えば、受信装置に対する電源の投入時に、他の管理機能決定部５２と相互に情報交換を実施する。
【００４５】
具体的には、各管理機能決定部５２は、自己のチューナ状況一括管理機構５１の管理能力を示すデータ（例えば、チューナ状況一括管理機構５１に搭載されているＣＰＵの処理速度に関する情報）を他の管理機能決定部５２に送信する。
【００４６】
そして、各管理機能決定部５２は、自己のチューナ状況一括管理機構５１の管理能力を上回る他のチューナ状況一括管理機構５１が１個も存在しない場合には、自己のチューナ状況一括管理機構５１の管理機能を有効にし（自己のチューナ状況一括管理機構５１の動作を許可する）、自己のチューナ状況一括管理機構５１の管理能力を上回る他のチューナ状況一括管理機構５１が１個でも存在する場合には、自己のチューナ状況一括管理機構５１の管理機能を無効にする（自己のチューナ状況一括管理機構５１の動作を不許可とする）。
【００４７】
以上のように、この実施の形態４によれば、最も管理能力が優れたチューナ状況一括管理機構５１が使用状況を管理することになり、使用状況の確認に伴う受信機の負荷を軽減することができる効果が得られる。
【００４８】
【発明の効果】
以上のように、この発明によれば、受信手段により復調されたデジタルデータの出力先として、デコード手段又は伝送手段の何れかを選択する一方、デコード手段に対するデジタルデータの入力先として、受信手段又は伝送手段の何れかを選択する選択手段を設けるように構成したので、各テレビジョン毎に地上波放送のチューナと、衛星放送のチューナと、ケーブルＴＶのチューナとを搭載していなくても、所有する全テレビジョンで地上波放送，衛星放送及びケーブルＴＶの全ての番組を視聴することができる効果がある。
また、ネットワークに接続されている全ての受信手段の使用状況を管理する管理手段と、その管理手段に対して他の受信手段の使用状況を問い合わせて、他の受信手段が未使用中である場合に限り、デジタルデータの入力先として伝送手段を選択することを選択手段に対して許可する制御手段とを設け、そのネットワークに複数の管理手段が接続されている場合、各管理手段が自己の管理能力と他の管理手段の管理能力を比較し、自己の管理能力が他の管理手段の管理能力を上回る場合に限り、自己の管理機能を有効にするように構成したので、速やかに他の受信手段からデジタルデータを受信することが可能な状況にあるのか否かを判断することができるとともに、使用状況の確認に伴う受信機の負荷を軽減することができる効果がある。
【００５４】
この発明によれば、復調するデジタルデータのトランスポートストリームの形式が同形式の受信手段のみをネットワークに接続するように構成したので、他の受信手段からデジタルデータを受信することが可能になる効果がある。
【図面の簡単な説明】
【図１】  この発明の実施の形態１によるデジタル放送受信装置を示す構成図である。
【図２】  地上波チューナ部，衛星チューナ部及びケーブルチューナ部に共通する部分を示す構成図である。
【図３】  送信切替回路及び受信切替回路の具体的構成を示す構成図である。
【図４】  制御回路の具体的構成を示す構成図である。
【図５】  この発明の実施の形態１によるデジタル放送受信装置の動作を示すフローチャートである。
【図６】  この発明の実施の形態１によるデジタル放送受信装置の動作を示すフローチャートである。
【図７】  この発明の実施の形態２によるデジタル放送受信装置を示す構成図である。
【図８】  この発明の実施の形態２によるデジタル放送受信装置を示す構成図である。
【図９】  この発明の実施の形態３によるデジタル放送受信装置を示す構成図である。
【図１０】  この発明の実施の形態４によるデジタル放送受信装置を示す構成図である。
【図１１】  従来のデジタル放送受信装置を示す構成図である。
【符号の説明】
３２  チューナ回路（受信手段）、３３  デジタル復調回路（受信手段）、３４  送信切替回路（選択手段）、３５  ネットワークインタフェース（伝送手段）、３６  ネットワーク、３７  受信切替回路（選択手段）、３８  デコーダ回路（デコード手段）、３９  制御回路（制御手段）、５１  チューナ状況一括管理機構（管理手段）、５２  管理機能決定部（管理手段）。
【図１】
0003664913.tif 000002
【図２】
0003664913.tif 000003
【図３】
0003664913.tif 000004
【図４】
0003664913.tif 000005
【図５】
0003664913.tif 000006
【図６】
0003664913.tif 000007
【図７】
0003664913.tif 000008
【図８】
0003664913.tif 000009
【図９】
0003664913.tif 000010
【図１０】
0003664913.tif 000011
【図１１】
0003664913.tif 000012